(57)【要約】【課題】構造が簡単で効果的に静電気の電気回路への侵入を防止できる押圧式電子部品を提供する。【解決手段】押圧スイッチ１７を設けたスイッチ基板１０と、スイッチ基板１０上に設置され、押圧スイッチ１７を押圧する押圧部５７を有するキートップ５０と、スイッチ基板１０とキートップ５０間に設置されてスイッチ基板１０から離れる方向にキートップ５０を弾発するキートップ押上用のコイルバネ６０と、を具備する。スイッチ基板１０上面の押圧スイッチ１７を囲む位置にアースパターン４１を形成するとともに、コイルバネ６０をアースパターン４１に当接することで、コイルバネ６０をアース部材とする。【選択図】図１
2007173094.tif 000002
【特許請求の範囲】
【請求項１】
押圧スイッチを設けたスイッチ基板と、
前記スイッチ基板上に設置され、前記押圧スイッチを押圧する押圧部を有するキートップと、
前記スイッチ基板とキートップ間に設置されてスイッチ基板から離れる方向にキートップを弾発するキートップ押上用のコイルバネと、
を具備し、
前記スイッチ基板上面の押圧スイッチを囲む位置にアースパターンを形成するとともに、前記コイルバネをこのアースパターンに当接することで、コイルバネをアース部材としたことを特徴とする押圧式電子部品。
【請求項２】
前記キートップの表面に導電層を設けるか、或いはキートップ自体を導電性部材で構成するとともに、前記コイルバネを前記キートップに当接することで、前記キートップを前記コイルバネを介してアースしたことを特徴とする請求項１に記載の押圧式電子部品。
【請求項３】
前記スイッチ基板は上下動自在に設置される作動体上に取り付けられた第１スイッチ基板であり、
さらに前記作動体の下部に第２押圧スイッチを設けた第２スイッチ基板を設置して作動体の下面に設けた第２押圧部によって第２押圧スイッチを押圧することを特徴とする請求項１又は２に記載の押圧式電子部品。
【発明の詳細な説明】
【技術分野】
【０００１】
本発明は、キートップによってスイッチ基板に設けた押圧スイッチを押圧する構造の押圧式電子部品に関し、特に外部から侵入してくる静電気が内部の電気回路に侵入するのを防止できる静電気侵入防止機能付きの押圧式電子部品に関するものである。
【背景技術】
【０００２】
従来、押圧式電子部品の中には、押圧スイッチを設けたスイッチ基板上に、前記押圧スイッチを押圧する押圧部を設けたキートップを設置し、キートップを押圧することで前記押圧スイッチをオンオフ操作する構造の押圧式電子部品があった。
【０００３】
しかしながら上記従来の押圧式電子部品においては、キートップに帯電した人の指等が触れると、その静電気が、キートップの上部からその沿面を通して押圧式電子部品内部に侵入し、押圧スイッチを構成するスイッチ接点パターン等の回路パターンに入射してしまうという問題があった。
【０００４】
一方近年、キートップに高級感を持たせる等の目的で、キートップ表面をメッキなどによって金属光沢を持たせる場合が増えている。しかしながらキートップをメッキなどの導電性部材で装飾すると、導電性部材がキートップの下側に設置したスイッチ基板側へ静電気を導く導電通路となってしまい、より静電気による弊害を招く恐れがあった。
【特許文献１】特開２００５−１８３１３５号公報
【発明の開示】
【発明が解決しようとする課題】
【０００５】
本発明は上述の点に鑑みてなされたものでありその目的は、構造が簡単で効果的に静電気の電気回路への侵入を防止できる押圧式電子部品を提供することにある。
【課題を解決するための手段】
【０００６】
本願請求項１に記載の発明は、押圧スイッチを設けたスイッチ基板と、前記スイッチ基板上に設置され、前記押圧スイッチを押圧する押圧部を有するキートップと、前記スイッチ基板とキートップ間に設置されてスイッチ基板から離れる方向にキートップを弾発するキートップ押上用のコイルバネと、を具備し、前記スイッチ基板上面の押圧スイッチを囲む位置にアースパターンを形成するとともに、前記コイルバネをこのアースパターンに当接することで、コイルバネをアース部材としたことを特徴とする押圧式電子部品にある。
【０００７】
本願請求項２に記載の発明は、前記キートップの表面に導電層を設けるか、或いはキートップ自体を導電性部材で構成するとともに、前記コイルバネを前記キートップに当接することで、前記キートップを前記コイルバネを介してアースしたことを特徴とする請求項１に記載の押圧式電子部品にある。
【０００８】
本願請求項３に記載の発明は、前記スイッチ基板は上下動自在に設置される作動体上に取り付けられた第１スイッチ基板であり、さらに前記作動体の下部に第２押圧スイッチを設けた第２スイッチ基板を設置して作動体の下面に設けた第２押圧部によって第２押圧スイッチを押圧することを特徴とする請求項１又は２に記載の押圧式電子部品にある。
【発明の効果】
【０００９】
請求項１に記載の発明によれば、コイルバネをアース部材としたので、押圧スイッチの上部の周囲を囲むようにアース部材を設置でき、効果的にキートップの上面側からその外表面を通って下面側に侵入してくる静電気をこのコイルバネにアースでき、スイッチ基板に設けた押圧スイッチを含む回路パターンへの静電気の侵入を効果的に防止できる。また機能部品であるコイルバネをそのままアース部材に兼用できるので、アース部材として別部品を設置する必要はなく、組み立ても容易となり、製造コストの低減化が図れる。
【００１０】
請求項２に記載の発明によれば、キートップをコイルバネを介してアースしたので、さらに確実にスイッチ基板に設けた押圧スイッチを含む回路パターンへの静電気の侵入を防止できる。
【００１１】
請求項３に記載の発明によれば、前記静電気侵入防止機能付きの押圧式電子部品を用いて容易に２段押圧式電子部品を構成することができる。
【発明を実施するための最良の形態】
【００１２】
以下、本発明の実施形態を図面に基づいて詳細に説明する。
〔第１実施形態〕
図１は本発明の第１実施形態にかかる押圧式電子部品１−１の概略断面図、図２は押圧式電子部品１−１の分解斜視図である。両図に示すように押圧式電子部品１−１は、押圧スイッチ（以下「第１押圧スイッチ」という）１７を設けたスイッチ基板（以下「第１スイッチ基板」という）１０と、前記第１スイッチ基板１０上に設置されるキートップ５０と、前記第１スイッチ基板１０とキートップ５０の間に設置されて第１スイッチ基板１０から離れる方向にキートップ５０を弾発するキートップ押上用のコイルバネ６０と、前記第１スイッチ基板１０を取り付ける作動体７０と、作動体７０の下部に設置される第２スイッチ基板９０と、第２スイッチ基板９０の下側に設置される支持部材（以下「支持板」という）１３０と、キートップ５０の上側に設置されるケース１５０とを具備して構成されている。以下各構成部品について説明する。
【００１３】
図３は第１スイッチ基板１０と第２スイッチ基板９０を展開して上側から見た展開斜視図、図４は下側から見た展開斜視図である。両図に示すように第１スイッチ基板１０と第２スイッチ基板９０は１枚のフレキシブル回路基板２００に形成され、両者は帯状の連結部２１０によって連結されている。第１スイッチ基板１０は一対の円形の基板部１１，２１を帯状の連結部３１によって連結して構成されており、両基板部１１，２１の同一面側のそれぞれ中央には小円形状の導電パターンからなるスイッチ接点パターン１３，２３（これらによって第１押圧スイッチ１７が形成される）が設けられ、またその周囲をリング状に囲む位置には絶縁パターンからなるスペーサ層１５，２５が設けられている。第２スイッチ基板９０は一対の矩形状の基板部９１，１０１を帯状の２本の連結部１１１によって連結して構成されており、連結部２１０を連結した側の基板部９１の略中央には第２押圧スイッチ９３が設置され、基板部９１の４隅には小孔からなる挿通部９５が設けられ、その一辺には帯状の引出部９７が連結されている。第２押圧スイッチ９３は基板部９１表面に形成した一対の導電パターンからなるスイッチ接点パターン９３ａ，９３ｂ（これらは前記スイッチ接点パターン１３，２３を設けたのと同一の面側に形成されている）上に、弾性金属板をドーム形状に形成した反転板（可動接点板）９３ｃをその外周が一方のスイッチ接点パターン９３ｂ上に当接し、その中央下面が他方のスイッチ接点パターン９３ａに所定の隙間を介して対向するように取り付けて構成されている。なお反転板９３ｃの取り付けは例えば粘着テープ等によって行なうが、図面ではその記載を省略している。もう一方の基板部１０１の略中央には円形に貫通する押圧部挿通部１０３が設けられ、基板部１０１の４隅には小孔からなる挿通部１０５が設けられている。基板部１０１の押圧部挿通部１０３と挿通部１０５は、この基板部１０１を基板部９１上に載置した際にそれぞれ基板部９１の第２押圧スイッチ９３と挿通部９５に対向する位置に設けられている。なお前記第１押圧スイッチ１７の出力と、第２押圧スイッチ９３の出力は、何れも図示しない回路パターンによって引出部９７に引き出されている。
【００１４】
一方前記基板部２１の下面（前記スイッチ接点パターン１３，２３やスイッチ接点パターン９３ａ，９３ｂを設けた面の裏面側の面）には、前記スイッチ接点パターン２３の周囲を囲むように導電パターンからなるリング状のアースパターン４１が形成されており、また基板部１０１の下面のほぼ全面にもアースパターン１０７が形成されている。両アースパターン４１，１０７は、基板部９１の基板部１０１側の１側辺に形成された帯状のアースパターン９９に接続された後、引出部９７に形成された帯状のアースパターン９８に引き出され、図示しない位置でアースされている。
【００１５】
図１，図２に戻ってキートップ５０は合成樹脂製（例えばＡＢＳ樹脂製）であり、略円板状の上面部５１の外周から下方向に筒状に側壁部５３を垂下することで上面部５１の下面側に円形凹状の作動体収納部５２を設け、側壁部５３の下部近傍の外周からリング状のつば部５５を半径方向外側に向けて突出し、また上面部５１の下面中央から柱状の押圧部５７を下方向に向けて突出して構成されている。上面部５１の下面の押圧部５７の周囲の部分にはリング状に突出する突出部５９が設けられ、その外側部分がバネ受け部６１を構成している。また側壁部５３の下端辺の一部を上方に向けて切り欠くことで前記フレキシブル回路基板２００の連結部２１０を挿通する挿通部６３が形成されている。そしてこの実施形態においてはキートップ５０の表面全体（上下面及び側面全体を含む）に、金属光沢を有する金属メッキが施されている。
【００１６】
コイルバネ６０は弾性を有する導電性金属の線材を、下部よりも上部に向かってその径を徐々に小さくしていくように螺旋状に巻き回して全体として円錐台形として構成されており、コイルバネ６０の下端部（巻き終わり部分）の径を前記基板部２１に設けたアースパターン４１上に載置される径とし、コイルバネ６０の上端部（巻き終わり部分）の径をキートップ５０のバネ受け部６１に当接される径としている。
【００１７】
作動体７０は合成樹脂を略円板状に形成し、その上面に円形凹状の収納部７１を形成すると共に、その下面中央に下方向に向けて突出する柱状の第２押圧部７３を設けて構成されている。作動体７０の外径寸法は、前記キートップ５０の作動体収納部５２の内径寸法よりも若干小さい寸法に形成され、作動体収納部５２内において作動体７０が上下動自在となるように構成されている。収納部７１は前記第１スイッチ基板１０を略ぴったり収納できる寸法形状に形成されている。収納部７１の周囲を囲む側壁７５にはその一部をその上辺から切り欠いて前記連結部２１０を挿入する連結部挿通部７７が設けられ、また側壁７５の連結部挿通部７７と１８０°対向する位置の下部には図１に示すように折り曲げた連結部３１を挿入する穴からなる係止部７９が設けられている。
【００１８】
支持板１３０は硬質板（金属板や樹脂板）を前記第２スイッチ基板９０の形状と略同一の矩形状に形成し、その４隅に小孔からなる取付部１３１を設けて構成されている。
【００１９】
ケース１５０は合成樹脂板製であり、その所定位置に上方向に突出する突出部１５１を設けることでその下面側に電子部品収納部１５３を設け、また突出部１５１の上面部１５５に前記キートップ５０を挿通する円形の開口１５７を設け、さらにケース１５０下面の電子部品収納部１５３の外側周囲には等間隔に４本（図１では２本のみ示す）の柱状突起からなる取付突起部１５９を設けて構成されている。電子部品収納部１５３の内径寸法は前記キートップ５０のつば部５５の外径寸法よりも若干大きい寸法であり、また開口１５７の内径寸法は前記キートップ５０の側壁部５３の外径寸法よりも少し大きい寸法に形成されている。
【００２０】
押圧式電子部品１−１の組み立ては、予め図３において、連結部１１１を折り曲げることによって基板部９１上に基板部１０１を重ね合わせて第２スイッチ基板９０を構成する。このとき基板部９１に取り付けた第２押圧スイッチ９３の反転板９３ｃの中央が基板部１０１に設けた押圧部挿通部１０３に露出し、また基板部９１の各挿通部９５と基板部１０１の各挿通部１０５とが一致する。次に図３において、連結部３１を折り曲げることによって基板部２１上に基板部１１を重ね合わせて第１スイッチ基板１０を構成する。このとき両スイッチ接点パターン１３，２３はスペーサ層１５，２５によって所定の隙間だけ離間して対向し、第１押圧スイッチ１７が構成される。そして連結部２１０の部分を折り曲げて第１スイッチ基板１０を第２スイッチ基板９０の上部に設置すると同時に、図２に示すようにこの第１スイッチ基板１０を作動体７０の収納部７１内に挿入してその底面に設置する。このとき第１スイッチ基板１０の連結部２１０は作動体７０の連結部挿通部７７内に挿入され、また図１に示すように第１スイッチ基板１０の折り曲げた連結部３１は作動体７０の係止部７９内に挿入され係止される。またこのとき作動体７０の第２押圧部７３は第２スイッチ基板９０の押圧部挿通部１０３を通して反転板９３ｃの上面中央に当接する。
【００２１】
そして図２において、ケース１５０の下面側からその電子部品収納部１５３内にキートップ５０を挿入し、キートップ５０の上部をケース１５０の開口１５７内に挿入する。次にキートップ５０下面にコイルバネ６０を設置し、その際キートップ５０のバネ受け部６１にコイルバネ６０の上端部を当接する。次にキートップ５０の下側に前記第１，第２スイッチ基板１０，９０と作動体７０とを組み立てたものを設置し、さらにその下側に支持板１３０を設置する。その際作動体７０の収納部７１内にコイルバネ６０の下部を収納し、このコイルバネ６０のリング状の下端部はリング状のアースパターン４１上に当接（弾接）する。そしてケース１５０の下面に設けた各取付突起部１５９を、第２スイッチ基板９０に設けた各挿通部９５，１０５と、支持板１３０の各取付部１３１に挿入し、各取付突起部１５９の先端を支持板１３０の下面で熱カシメする。これによって図１に示す押圧式電子部品１−１が完成する。
【００２２】
即ち図１に示すように押圧式電子部品１−１は、第１押圧スイッチ１７を設けた第１スイッチ基板１０と、第１スイッチ基板１０上に設置され、前記第１押圧スイッチ１７を押圧する押圧部５７を有するキートップ５０と、第１スイッチ基板１０とキートップ５０間に設置されて第１スイッチ基板１０から離れる方向（上方向）にキートップ５０を弾発するキートップ押上用のコイルバネ６０と、を具備し、第１スイッチ基板１０上面の第１押圧スイッチ１７を囲む位置にアースパターン４１を形成するとともに、コイルバネ６０をこのアースパターン４１に当接することで、コイルバネ６０をアース部材として構成している。またこの押圧式電子部品１−１においては、キートップ５０の表面に金属メッキによる導電層を設けるとともに、コイルバネ６０（その上端部）をこのキートップ５０（そのバネ受け部６１）に当接することで、キートップ５０をコイルバネ６０を介してアースしている。またこの押圧式電子部品１−１においては、前記第１スイッチ基板１０を上下動自在に設置される作動体７０上に取り付け、さらに前記作動体７０の下部に第２押圧スイッチ９３を設けた第２スイッチ基板９０を設置して作動体７０の下面に設けた第２押圧部７３によって第２押圧スイッチ９３を押圧するように構成している。
【００２３】
以上のように構成された押圧式電子部品１−１において、キートップ５０を押圧すると、コイルバネ６０の弾発力に抗してキートップ５０が下降し、その押圧部５７が第１押圧スイッチ１７をその背面側から押圧して対向する両スイッチ接点パターン１３，２３を当接してオンする。さらにキートップ５０を押圧すると、キートップ５０と一体になって作動体７０が下降し、その第２押圧部７３が反転板９３ｃを押圧してこれを反転し、第２押圧スイッチ９３がオンする。前記キートップ５０への押圧を解除していくと、第２押圧スイッチ９３、第１押圧スイッチ１７の順でスイッチがオフしていく。
【００２４】
一方前記キートップ５０を操作する指等が帯電していた場合、その静電気は前述のようにアースされているキートップ５０表面の導電層に導かれ入射しアースされる。このためキートップ５０の下部に設置されている第１，第２スイッチ基板１０，９０に形成されているスイッチ接点パターン１３，２３，９３ａ，９３ｂや反転板９３ｃを含む各種回路パターンに静電気が侵入することはない。なお別の経路から第２スイッチ基板９０の上部に侵入した静電気も、第２スイッチ基板９０上に設けたアースパターン１０７に入射してアースされるので、この点からもさらに各種回路パターンに静電気が侵入することはなくなる。
【００２５】
〔第２実施形態〕
図５は本発明の第２実施形態にかかる押圧式電子部品１−２の概略断面図である。同図に示すように押圧式電子部品１−２は、押圧スイッチ（以下「第１押圧スイッチ」という）１７−２を設けたスイッチ基板（以下「第１スイッチ基板」という）１０−２と、前記第１スイッチ基板１０−２上に設置されるキートップ５０−２と、第１スイッチ基板１０−２とキートップ５０−２の間に設置されて第１スイッチ基板１０−２から離れる方向にキートップ５０−２を弾発するキートップ押上用のコイルバネ６０−２と、第１スイッチ基板１０−２を取り付ける作動体７０−２と、作動体７０−２の下部に設置される第２スイッチ基板９０−２と、第２スイッチ基板９０−２の下側に設置される支持部材（以下「支持板」という）１３０−２と、キートップ５０−２の上側に設置されるケース１５０−２と、前記キートップ５０−２や作動体７０−２を第２スイッチ基板９０−２上に取り付けておく取付体１７０−２と、を具備して構成されている。以下各構成部品について説明する。
【００２６】
第１スイッチ基板１０−２は一対の基板部１１−２，２１−２を積層することで構成されており、両者は図示しない帯状の連結部によって連結されている。両基板部１１−２，２１−２の対向面のそれぞれ中央には小円形状の導電パターンからなるスイッチ接点パターン１３−２，２３−２が設けられ、これらを所定の隙間を介して対向することで第１押圧スイッチ１７−２が形成されている。なおスイッチ接点パターン１３−２，２３−２の周囲をリング状に囲む位置には絶縁パターンからなるスペーサ層１５−２，２５−２が設けられている。第２スイッチ基板９０−２は基板部９１−２，１０１−２を積層して構成されており、両者は図示しない帯状の連結部によって連結されている。基板部９１−２には第２押圧スイッチ９３−２が設置され、この第２押圧スイッチ９３−２は一対の導電パターンからなるスイッチ接点パターン９３ａ−２，９３ｂ−２上に、弾性金属板をドーム形状に形成した反転板（可動接点板）９３ｃ−２をその外周が一方のスイッチ接点パターン９３ｂ−２上に当接し、その中央下面が他方のスイッチ接点パターン９３ａ−２に所定の隙間を介して対向するように取り付けて構成されている。なお反転板９３ｃ−２の取り付けは例えば粘着テープ等によって行なうが、図面ではその記載を省略している。もう一方の基板部１０１−２の略中央には円形に貫通する押圧部挿通部１０３−２が設けられ、前記反転板９３ｃ−２の上面中央の面を露出している。なお第１スイッチ基板１０−２と第２スイッチ基板９０−２は第１実施形態と同様に１枚のフレキシブル回路基板に形成され、両者は図示しない帯状の連結部によって連結されている。一方前記基板部２１−２のスイッチ接点パターン２３−２を設けた面の裏面側には、第１押圧スイッチ１７−２の周囲を囲むように導電パターンからなるリング状のアースパターン４１−２が形成されており、また基板部１０１−２の基板部９１−２に対向する面の裏面側のほぼ全面にもアースパターン１０７−２が形成されている。両アースパターン４１−２，１０７−２は第１実施形態と同様に、フレキシブル回路基板の図示しない引出部に形成されたアースパターンに引き出され、図示しない位置でアースされている。
【００２７】
キートップ５０−２は、合成樹脂製（例えばＡＢＳ樹脂製）であり、略円板状の上面部５１−２の外周から下方向に筒状に側壁部５３−２を垂下することで上面部５１−２の下面側に円形凹状の作動体収納部５２−２を設け、また上面部５１−２の下面中央から柱状の押圧部５７−２を下方向に向けて突出して構成されている。上面部５１−２の下面の押圧部５７−２の周囲の部分にはリング状に突出する突出部５９−２が設けられ、その外側部分がバネ受け部６１−２を構成している。側壁部５３−２の下部外周からは半径方向外側に向けてリング状のつば部６５−２が突出している。またつば部６５−２の下部には、円周方向に等間隔に複数（この実施形態では３つであるが図５では１つのみ示す）の係止部６７−２と、各係止部６７−２の円周方向の中間部に等間隔に複数（この実施形態では３つであるが図５では１つのみ示す）の開口部６９−２とを形成している。係止部６７−２は側壁５３−２を半径方向に向けて開口して構成されており、開口部６９−２は側壁部５３−２の下辺から上方向に向けて舌片状に切り欠くことで構成されている。そしてこの実施形態においてはキートップ５０−２の表面全体（上下面及び側面全体を含む）に、スパッタによる不連続蒸着（不伝導蒸着とも言う）が形成され、これによってその表面全体に金属光沢を形成している。不連続蒸着とは、薄膜の成長過程の核の成長の初期段階で蒸着を止めることにより、核間が接触しない状態をさし、核間が電気的に導通していない状態にある。
【００２８】
コイルバネ６０−２は弾性を有する導電金属製の線材を、下部よりも上部に向かってその径を徐々に小さくしていくように螺旋状に巻き回して全体として円錐台形として構成されており、コイルバネ６０−２のリング状の下端部をアースパターン４１−２上に載置し、コイルバネ６０−２の上端部をバネ受け部６１−２に当接している。
【００２９】
作動体７０−２は合成樹脂を略円板状に形成し、その上面に前記第１スイッチ基板１０−２を収納する円形凹状の収納部７１−２を形成すると共に、その下面中央に下方向に向けて突出する柱状の第２押圧部７３−２を設けて構成されている。作動体７０−２の外径寸法は、前記キートップ５０−２の作動体収納部５２−２の内径寸法よりも若干小さい寸法に形成され、作動体収納部５２−２内において作動体７０−２が上下動自在となるように構成されている。収納部７１−２の周囲を囲む側壁７５−２の前記キートップ５０−２の係止部６７−２に対向する位置にはこの係止部６７−２に挿入される爪状の係合片８１−２が設けられ、また側壁７５−２の前記キートップ５０−２の開口部６９−２に対向する位置の下部には舌片状の係止片８３−２が突設されている。係合片８１−２はキートップ５０−２の係止部６７−２に、作動体７０−２に対してキートップ５０−２が所定寸法上下方向のみに上下動できるように係合されている。係止片８３−２は下記する取付体１７０−２の係止突部１７３−２の下面に係合することで、作動体７０−２を所定寸法上下動自在とし同時に取付体１７０−２から外れないようにしている。
【００３０】
支持板１３０−２は硬質板（金属板や樹脂板）で構成され、前記第２スイッチ基板９０−２の下面側に設置される。ケース１５０−２は合成樹脂板製であり、その所定位置に前記キートップ５０−２をその下面側から挿通する円形の開口１５７−２を設けている。取付体１７０−２は合成樹脂板製であり、前記第２スイッチ基板９０−２上を覆うと共に、第２スイッチ基板９０−２上に設置される作動体７０−２を挿通する貫通孔１７１−２を具備し、貫通孔１７１−２の周囲の上面から貫通孔１７１−２の中心方向に向かって突出する複数（この実施形態は３つであるが図５では１つのみ示す）の舌片状の係止突部１７３−２を設けて構成されている。各係止突部１７３−２は前記作動体７０−２の係止片８３−２に対向する位置に設けられている。
【００３１】
即ち図５に示すように押圧式電子部品１−２は、第１押圧スイッチ１７−２を設けた第１スイッチ基板１０−２と、第１スイッチ基板１０−２上に設置され、前記第１押圧スイッチ１７−２を押圧する押圧部５７−２を有するキートップ５０−２と、第１スイッチ基板１０−２とキートップ５０−２間に設置されて第１スイッチ基板１０−２から離れる方向（上方向）にキートップ５０−２を弾発するキートップ押上用のコイルバネ６０−２と、を具備し、第１スイッチ基板１０−２上面の第１押圧スイッチ１７−２を囲む位置にアースパターン４１−２を形成するとともに、コイルバネ６０−２をこのアースパターン４１−２に当接することで、コイルバネ６０−２をアース部材として構成している。またこの押圧式電子部品１−２においては、前記第１スイッチ基板１０−２を上下動自在に設置される作動体７０−２上に取り付け、さらに前記作動体７０−２の下部に第２押圧スイッチ９３−２を設けた第２スイッチ基板９０−２を設置して作動体７０−２の下面に設けた第２押圧部７３−２によって第２押圧スイッチ９３−２を押圧するように構成している。
【００３２】
以上のように構成された押圧式電子部品１−２において、キートップ５０−２を押圧すると、コイルバネ６０−２の弾発力に抗してキートップ５０−２が下降し（このときキートップ５０−２の係止部６７−２内を、作動体７０−２の係合片８１−２が上方向に移動する）、その押圧部５７−２が第１押圧スイッチ１７−２をその背面側から押圧してこれをオンする。さらにキートップ５０−２を押圧すると、キートップ５０−２と一体になって作動体７０−２が下降し、その第２押圧部７３−２が第２押圧スイッチ９３−２を押圧してこれをオンする（このとき作動体７０−２の係止片８３−２は取付体１７０−２の係止突部１７３−２から離れて下方向に移動する）。前記キートップ５０−２への押圧を解除していくと、第２押圧スイッチ９３−２、第１押圧スイッチ１７−２の順でスイッチがオフしていく。
【００３３】
一方前記キートップ５０−２を操作する指等が帯電していた場合、前記キートップ５０−２は絶縁性なので、その静電気はキートップ５０−２の表面等を伝って沿面放電しケース１５０−２の下面側に侵入する。そして前記静電気の一部は、図５に矢印Ａで示すように、キートップ５０−２に設けた係止部６７−２や開口部６９−２から第１スイッチ基板１０−２の上部に向けて侵入しようとする。しかしながら第１スイッチ基板１０−２の上部の空間にはアースされているコイルバネ６０−２が設置されているので、第１スイッチ基板１０−２に向かう静電気はその前にコイルバネ６０−２（又は直接アースパターン４１−２）に入射しアースされる。一方前記ケース１５０−２の下面側に侵入した静電気の一部は第２スイッチ基板９０−２に向けても侵入しようとする。しかしながら第２スイッチ基板９０−２の上面にはアースパターン１０７−２が形成されているので、第２スイッチ基板９０−２に向かう静電気はその前にアースパターン１０７−２に入射しアースされる。これらのことからキートップ５０−２の下部に設置されている第１，第２スイッチ基板１０−２，９０−２に形成されているスイッチ接点パターン１３−２，２３−２，９３ａ−２，９３ｂ−２や反転板９３ｃ−２を含む各種回路パターンに静電気が侵入することはない。
【００３４】
なおこの実施形態においてキートップ５０−２の表面に金属メッキや通常のスパッタなどによる蒸着膜を形成した場合は、キートップ５０−２表面に第１実施形態と同様の導電層が形成され、第１実施形態と同様にこの導電層に静電気が入射することでアースされる。逆に第１実施形態にかかるキートップ５０の表面を第２実施形態のように不導電性としても、第２実施形態と同様の作用により、静電気はコイルバネ６０やアースパターン１０７に入射してアースされる。つまりキートップ５０，５０−２はその表面に導電性があってもなくても、コイルバネ６０を用いることで、効果的に静電気の電気回路への侵入を防止できる。なおキートップ５０，５０−２の表面に金属光沢が必要ない場合はもちろん通常の絶縁性の合成樹脂のみで構成しても良く、またキートップ５０，５０−２の表面に金属光沢以外の各種絶縁性や導電性の印刷等を行なっても良い。またキートップ５０，５０−２自体（全体）を金属等の導電性部材で構成しても良い。
【００３５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記押圧式電子部品１−１（１−２）は、押圧スイッチとして第１，第２押圧スイッチ１７，９３（１７−２，９３−２）を具備する２段押圧スイッチを用いているが、本発明にかかる押圧式電子部品は第１押圧スイッチ１７（１７−２）のみで構成しても良い。この場合作動体７０（７０−２）を固定側（静止側）の部材とし、第２スイッチ基板９０（９０−２）は省略する。また上記実施形態では第１押圧スイッチ１７（１７−２）をいわゆるメンブレンスイッチ（２枚の合成樹脂フイルムにそれぞれ形成したスイッチ接点パターンを所定の隙間を介して対向させて構成されるスイッチを言う）としたが、これを第２押圧スイッチ９３（９３−２）のような構造のスイッチとしても良く、逆に第２押圧スイッチ９３（９３−２）をメンブレンスイッチとしても良い。要は押圧スイッチはこれをキートップの押圧部で押圧して操作する構造であればどのような構造でも良い。コイルバネ６０の形状・構造も種々の変形が可能である。アースパターン４１（４１−２）は必ずしも押圧スイッチ（第１押圧スイッチ）１７（１７−２）の外周全体を囲む位置に形成される必要はなく、その一部に形成されていても良い。要はスイッチ基板上面の押圧スイッチを囲む位置に形成されていればよい。またキートップをアースする場合は、上記実施形態のようにキートップの表面全体に導電性を持たせる必要はなく、その一部の表面のみに導電性を持たせて導電性を持たせた部分をコイルバネに当接してもよい。
【図面の簡単な説明】
【００３６】
【図１】押圧式電子部品１−１の概略断面図である。
【図２】押圧式電子部品１−１の分解斜視図である。
【図３】第１スイッチ基板１０と第２スイッチ基板９０を展開して上側から見た展開斜視図である。
【図４】第１スイッチ基板１０と第２スイッチ基板９０を展開して下側から見た展開斜視図である。
【図５】押圧式電子部品１−２の概略断面図である。
【符号の説明】
【００３７】
１−１  押圧式電子部品
１０  第１スイッチ基板（スイッチ基板）
１７  第１押圧スイッチ（押圧スイッチ）
４１  アースパターン
５０  キートップ
５７  押圧部
６０  コイルバネ（アース部材）
７０  作動体
７３  第２押圧部
９０  第２スイッチ基板
９３  第２押圧スイッチ
１３０  支持板（支持部材）
１５０  ケース
２００  フレキシブル回路基板
【図１】
2007173094.tif 000003
【図２】
2007173094.tif 000004
【図３】
2007173094.tif 000005
【図４】
2007173094.tif 000006
【図５】
2007173094.tif 000007